(57)【特許請求の範囲】
【請求項１】
３つ以上の可能な状態の内の１つをとり得るスイッチを含む一群のスイッチと、
前記一群のスイッチの状態に応じて日本語入力処理を行う入力処理部と、
を具備し、
前記入力処理部が、前記スイッチが所定時間以上第２の状態をとったときに所定の母音の入力処理を行い、前記スイッチが第３の状態をとったときに所定の子音の入力処理を行うこと
を特徴とする携帯装置。
【請求項２】
３つ以上の可能な状態の内の１つをとり得るスイッチを含む一群のスイッチと、
前記一群のスイッチの状態に応じて日本語入力処理を行う入力処理部と、
を具備し、
前記入力処理部が、前記スイッチが第２の状態をとったときに所定の母音の入力処理を行い、前記スイッチが所定時間以上第３の状態をとったときに所定の子音の入力処理を行うことを特徴とする携帯装置。
【請求項３】
前記入力処理部が、ローマ字に基づいてひらがな又はカタカナの入力処理を行うことを特徴とする請求項１又は２記載の携帯装置。
【請求項４】
前記スイッチが、押しボタンを有しており、前記押しボタンが押圧される力に応じて初期状態、半押し状態、又は、全押し状態をとり得ることを特徴とする請求項１〜３のいずれか１項に記載の携帯装置。
【請求項５】
前記入力処理部が、前記スイッチが所定時間以上半押し状態になったときに、所定の母音又は所定の子音の入力処理を行い、前記スイッチが全押し状態になったときに、所定の子音又は所定の母音の入力処理を行うことを特徴とする請求項４記載の携帯装置。
【請求項６】
携帯電話装置又はＰＤＡ（携帯情報端末）であることを特徴とする請求項１〜５記載の携帯装置。
【発明の詳細な説明】
【０００１】
【発明の属する技術分野】
本発明は、日本語を入力することができる携帯電話装置、ＰＤＡ（携帯情報端末）等の携帯装置に関する。
【０００２】
【従来の技術】
従来より、数字、文字等を入力するための押しボタンを用いたスイッチを有する携帯電話装置、ＰＤＡ（携帯情報端末）等の携帯装置が用いられている。特に、近年、電子メールの送受信を行うことが可能な携帯電話装置も用いられるようになってきている。
【０００３】
これらの携帯装置、特に携帯電話装置は、小型であることが要求されるため、限られた数のスイッチしか具備することができない。そのため、従来の携帯電話装置においては、電子メールを作成するための日本語入力モード時において、例えば、「１」のスイッチに「あ行」の文字が割り当てられており、「１」のスイッチが１回押圧されると「あ」の文字が入力され、「１」のスイッチが２回押圧されると「い」の文字が入力され、「１」のスイッチが３回押圧されると「う」の文字が入力され、「１」のスイッチが４回押圧されると「え」の文字が入力され、「１」のスイッチが５回押圧されると「お」の文字が入力される。
【０００４】
同様に、「２」のスイッチに「か行」の文字が割り当てられ、「３」のスイッチに「さ行」の文字が割り当てられ、「４」のスイッチに「た行」の文字が割り当てられ、「５」のスイッチに「な行」の文字が割り当てられている。さらに、「６」のスイッチに「は行」の文字が割り当てられ、「７」のスイッチに「ま行」の文字が割り当てられ、「８」のスイッチに「や行」の文字が割り当てられ、「９」のスイッチに「ら行」の文字が割り当てられ、「０」のスイッチに「わ行」の文字が割り当てられている。
【０００５】
このような携帯電話装置において、ユーザが、例えば「おはよう」という文字列を入力するためには、「１」のスイッチを４回押圧し（「お」の入力）、「６」のスイッチを１回押圧し（「は」の入力）、「８」のスイッチを３回押圧し（「よ」の入力）、「１」のスイッチを３回押圧する（「う」の入力）必要があった。すなわち、従来の携帯電話装置においては、ユーザは、「おはよう」という文字列を入力するために、スイッチを１１回押圧しなければならなかった。
【０００６】
また、ユーザが、例えば「こんにちわ」という文字列を入力するためには、「２」のスイッチを５回押圧し（「こ」の入力）、「０」のスイッチを３回押圧し（「ん」の入力）、「５」のスイッチを２回押圧し（「に」の入力）、「４」のスイッチを２回押圧し（「ち」の入力）、「０」のスイッチを１回押圧する（「わ」の入力）必要があった。すなわち、従来の携帯電話装置においては、ユーザは、「こんにちは」という文字列を入力するために、スイッチを１３回押圧しなければならなかった。
【０００７】
ところで、日本国特許出願公開（特開）平６−３４８３８３号公報（以下、「文献１」ともいう）には、大文字又は小文字の英文字を入力して表示する英字モードと、カナ文字を入力して表示するカナモードと、数字を入力して表示する数字モードとを切り替える制御回路と、各モードの少なくとも２以上のモードに属する英文字若しくはカナ文字又は数字をそれぞれ入力できる複数のキーを備えたキーパッドと、該キーパッドにより入力された英文字若しくはカナ文字又は数字を表示する表示器とを有する文字入力装置において、制御回路は、各モードの少なくとも２以上のモードに属する英文字若しくはカナ文字又は数字を複数のキーからの入力信号により順次選択することを特徴とする文字入力装置が掲載されている。
しかしながら、文献１に掲載された文字入力装置は、例えば、「１」キーが押圧された回数に応じて「ア」、「イ」、「ウ」、「エ」、「オ」、「ァ」、「ィ」、「ゥ」、「ェ」、「ォ」、「１」が入力されるようにし、カナ文字、数字、英文字等を入力するモードを切り替えることや、大文字を小文字に切り替えることを不要にしたものであり、各キーが複数の状態をとり得るものではない。
【０００８】
また、日本国特許第３０７１７０４号公報（以下、「文献２」ともいう）には、少なくとも３列４段もしくは４列３段の１２個のキーを備え、これら１２個のキーのうち、５つのキーには母音が一つずつ並べられ、７つのキーには子音が複数ずつ並べられてなるキー入力装置であって、子音は、当該子音が複数ずつ並べられたキーの打鍵回数によって選択されるように構成されていることを特徴とするキー入力装置が掲載されている。
しかしながら、文献２に掲載されたキー入力装置は、少なくとも１２個のキーを備え、これらのキーの内の５個に母音を割り当て、７個に子音を割り当てたものであり、１つのキーに母音と子音の両方を割り当てたものではない。
【０００９】
また、特開２００１−２６５４８５号公報（以下、「文献３」ともいう）には、第１の押圧力で押下することにより入力できる第１キースイッチと、第１キースイッチと隣接して配される第２キースイッチとを備え、第１キースイッチを第１の押圧力よりも強い第２の押圧力で押下することにより、第２キースイッチを同時に入力できるようにしたことを特徴とするキースイッチ構造が掲載されている。
しかしながら、文献３に掲載されたキースイッチ構造は、２つのキースイッチを隣接して配し、第１キースイッチを強い押圧力で押下することにより、第２キースイッチを同時に入力できるようにしたものであり、１つのキースイッチが複数の状態をとり得るものではない。
【００１０】
【発明が解決しようとする課題】
そこで、上記の点に鑑み、本発明は、３つ以上の可能な状態の内の１つをとり得る複数のスイッチを具備し、これらのスイッチの状態に応じて日本語入力処理を行うことにより、日本語入力を容易にすることができる携帯装置を提供することを目的とする。
【００１１】
【課題を解決するための手段】
以上の課題を解決するため、本発明の第１の観点に係る携帯装置は、３つ以上の可能な状態の内の１つをとり得るスイッチを含む一群のスイッチと、一群のスイッチの状態に応じて日本語入力処理を行う入力処理部とを具備し、入力処理部が、スイッチが所定時間以上第２の状態をとったときに所定の母音の入力処理を行い、スイッチが第３の状態をとったときに所定の子音の入力処理を行うことを特徴とする。
【００１２】
また、本発明の第２の観点に係る携帯装置は、３つ以上の可能な状態の内の１つをとり得るスイッチを含む一群のスイッチと、一群のスイッチの状態に応じて日本語入力処理を行う入力処理部と、を具備し、入力処理部が、スイッチが第２の状態をとったときに所定の母音の入力処理を行い、スイッチが所定時間以上第３の状態をとったときに所定の子音の入力処理を行うことを特徴とする。
ここで、入力処理部が、ローマ字に基づいてひらがな又はカタカナの入力処理を行うこととしても良い。
【００１３】
また、スイッチが、押しボタンを有しており、押しボタンが押圧される力に応じて初期状態、半押し状態、又は、全押し状態をとり得ることとしても良い。さらに、入力処理部が、スイッチが所定時間以上半押し状態になったときに、所定の母音又は所定の子音の入力処理を行い、スイッチが全押し状態になったときに、所定の子音又は所定の母音の入力処理を行うこととしても良い。
【００１４】
また、本発明に係る携帯装置が、携帯電話装置又はＰＤＡ（携帯情報端末）であることとしても良い。
【００１５】
上記のように構成した本発明によれば、スイッチの状態に応じて日本語入力処理を行うことにより、日本語入力を容易にすることができる。
【００１６】
【発明の実施の形態】
以下、図面に基づいて本発明の実施の形態について説明する。なお、同一の構成要素には同一の参照番号を付して、説明を省略する。
図１は、本発明の一実施形態に係る携帯装置の概要を示す図である。本実施形態は、本発明を携帯電話装置に適用したものである。なお、本発明をＰＤＡ（携帯情報端末）などの他の装置に適用することもできる。
図１に示すように、携帯電話装置１は、筐体２と、アンテナ３と、受信部４と、送信部５と、ベースバンド処理部６と、音声処理部７と、スピーカ８と、マイク９と、入力部１０と、ＣＰＵ１１と、ＬＣＤドライバ１２と、ＬＣＤパネル１３とを具備している。
【００１７】
受信部４は、アンテナ３を介して携帯電話用周波数帯の電波を受信し、信号に変換する。受信部４から出力された信号は、ベースバンド処理部６に入力される。ベースバンド処理部６は、受信した信号にベースバンド処理を施し、音声データを音声処理部７に出力し、画像データ、文字データ、制御データ等をＣＰＵ１１に出力する。また、ベースバンド処理部６は、音声処理部７から音声データを、ＣＰＵ１１から文字データ、制御データ等を受け取り、携帯電話用周波数帯の信号に変換して送信部５に出力する。
【００１８】
送信部５は、ベースバンド処理部６から受信した信号を変換し、アンテナ３を介して携帯電話用周波数帯の電波を送信する。
音声処理部７は、ベースバンド処理部６から受け取った音声データを音声信号に変換し、スピーカ８を駆動して音声を出力する。また、音声処理部７は、マイク９から受け取った音声信号を音声データに変換し、ベースバンド処理部６に出力する。
図２は、入力部１０の構成を示す図である。図２に示すように、入力部１０は、押しボタンを用いたスイッチ２１〜３２を含んでいる。携帯電話装置１は、電話をかける場合等に数字を入力する数字入力モードを有しており、この数字入力モードにおいては、ユーザは、スイッチ２１〜３０を押圧することにより、「１」〜「０」の数字をそれぞれ入力することができる。また、携帯電話装置１は、電子メールを作成する場合等にローマ字に基づいてひらがなを入力するひらがな入力モードを有しており、このひらがな入力モードにおいて、ユーザは、所定のスイッチ２１〜３０を押圧することにより、ひらがなを入力することができる。
【００１９】
再び図１を参照すると、ＣＰＵ１１は、入力部１０から受け取ったデータ等に応じて、ベースバンド処理部６及び音声処理部７を制御する。また、ＣＰＵ１１は、ベースバンド処理部６から画像、文字等を表示するためのデータを受け取ってＬＣＤドライバ１２に出力し、ＬＣＤドライバ１２は、ＬＣＤパネル１３の表示画面上に画像、文字等を表示させる。
【００２０】
図３は、携帯電話装置１の外観を示す図である。図３に示すように、筐体２の図中上方の側面には、アンテナ３が取り付けられている。また、筐体２の図中上方には、スピーカ８が配置されており、スピーカ８の図中下方には、ＬＣＤパネル１３が配置されている。さらに、ＬＣＤパネル１３の図中下方には、スイッチ２１〜３２が配列され、その図中下方には、マイク９が配置されている。また、スイッチ２１〜３０内の押しボタン４１〜５０の表面には、「１」〜「０」がそれぞれ印字され、スイッチ３１内の押しボタン５１の表面には、「＊」が印字され、スイッチ３２内の押しボタン５２の表面には、「＃」が印字されている。
【００２１】
図４は、図３中のＩＩ−ＩＩ’線における、携帯電話装置１の一部（スイッチ２１付近）の断面図である。図４に示すように、押しボタン４１の図中左右端部には、第１、第２の電極６１、６２がそれぞれ固着されており、これらの電極６１、６２は、押しボタン４１内部に配置された配線６３によって接続されている。
筐体２には、筒状の凹部６４が形成され、この凹部６４の底面には、ばね６５の一端が固着されている。このばね６５の他端は押しボタン４１の背面に固着されており、押しボタン４１は、凹部６４の開口部を塞ぐように配置されるとともに、図中上方に付勢されている。
【００２２】
凹部６４の図中左右の壁面には、筒状の凹部６６〜６９が形成されており、凹部６６〜６９の底面には、ばね７０〜７３の一端がそれぞれ固着されている。ばね７０〜７３の他端には、絶縁体によって構成されるストッパー７４〜７７が固着されており、これらのストッパー７４〜７７は、凹部６４の中心方向に向かって付勢されている。
凹部６４の壁面の凹部６６の図中上方には、電極７８が配置されており、凹部６４の壁面の凹部６６と凹部６７との間には、電極７９が配置されており、凹部６４の壁面の凹部６７の図中下方には、電極８０が配置されている。これらの電極７８〜８０は、第２の電源電位（ここでは、ＶSS）にそれぞれ接続されている。
【００２３】
凹部６４の壁面の凹部６８の図中上方には、電極８１が配置されており、凹部６４の壁面の凹部６８と凹部６９との間には、電極８２が配置されており、凹部６４の壁面の凹部６９の図中下方には、電極８３が配置されている。これらの電極８１〜８３は、プルアップ抵抗Ｒ１〜Ｒ３を介して、第１の電源電位（ここでは、ＶDD）にそれぞれ接続されている。また、これらの電極８１〜８３の電位（電位ｘ〜ｚ）は、ＣＰＵ１１にそれぞれ入力される。
【００２４】
このように構成された結果、スイッチ２１の押しボタン４１は、ユーザが図中上方から図中下方の方向に押圧する力に応じて、図中下方に移動されることとなる。図５〜図８は、ユーザが押しボタン４１を押圧することにより、押しボタン４１が移動する様子を示す図であり、図９は、このときの電位ｘ、ｙ、ｚの変化を示す図である。以下、図４〜図９を参照しながら、押しボタン４１の移動と、電位ｘ、ｙ、ｚの変化について説明する。
【００２５】
図４に示すように、時刻ｔ0において、ユーザが押しボタン４１を押圧していない場合には、スイッチ２１は初期状態であり、電極７８と電極８１との間は、電極６１、配線６３、及び、電極６２によって導通されている。従って、電極８１の電位ｘは、ローレベルとなる。また、電極７９と電極８２との間及び電極８０と電極８３との間は、導通されていない。従って、電極８２の電位ｙ及び電極８３の電位ｚは、ハイレベルとなる（図９参照）。
【００２６】
次に、時刻ｔ1において、ユーザが押しボタン４１を押圧すると、押しボタン４１は図中下方に移動される。図５は、押しボタン４１が、ユーザの押圧により、ストッパー７４とストッパー７６との間に移動された様子を示す図である。このときには、ストッパー７４、７６は、押しボタン４１に押され、凹部６４の外側方向にそれぞれ移動される。また、このときには、電極７８と電極８１との間、電極７９と電極８２との間、及び、電極８０と電極８３との間は、いずれも導通されていない。従って、電位ｘ、電位ｙ、及び、電位ｚは、いずれもハイレベルとなる（図９参照）。
【００２７】
時刻ｔ2において、ユーザが押しボタン４１を更に押圧すると、押しボタン４１は更に移動される。図６は、押しボタン４１が、ユーザの押圧により、電極７９と電極８２との間に移動された様子を示す図である。このときのスイッチ２１の状態を「半押し状態」とする。このときには、押しボタン４１に押されて凹部６４の外側方向にそれぞれ移動されていたストッパー７４、７６は、ばね７０、７２により、凹部６４の中心方向にそれぞれ移動される。また、この半押し状態のときには、電極７９と電極８２との間は、電極６１、配線６３、及び、電極６２によって導通されている。従って、電位ｙは、ローレベルとなる。また、電極７８と電極８１との間及び電極８０と電極８３との間は、導通されていない。従って、電位ｘ及び電位ｚは、ハイレベルとなる（図９参照）。
【００２８】
時刻ｔ3において、ユーザが押しボタン４１を更に押圧すると、押しボタン４１は、更に移動される。図７は、押しボタン４１が、ユーザの押圧により、ストッパー７５とストッパー７７との間に移動された様子を示す図である。このときには、ストッパー７５、７７は、押しボタン４１に押され、凹部６４の外側方向にそれぞれ移動される。また、このときには、電極７８と電極８１との間、電極７９と電極８２との間、及び、電極８０と電極８３との間は、いずれも導通されていない。従って、電位ｘ、電位ｙ、及び、電位ｚは、いずれもハイレベルとなる（図９参照）。
【００２９】
時刻ｔ4において、ユーザが押しボタン４１を更に押圧すると、押しボタン４１は更に移動される。図８は、押しボタン４１が、ユーザの押圧により、電極８０と電極８３との間に移動された様子を示す図である。このときのスイッチ２１の状態を「全押し状態」とする。このときには、押しボタン４１に押されて凹部６４の外側方向にそれぞれ移動されていたストッパー７５、７７は、ばね７１、７３により、凹部６４の中心方向にそれぞれ移動される。また、この全押し状態のときには、電極８０と電極８３との間は、電極６１、配線６３、及び、電極６２によって導通されている。従って、電位ｚは、ローレベルとなる。また、電極７８と電極８１との間及び電極７９と電極８２との間は、導通されていない。従って、電位ｘ及び電位ｙは、ハイレベルとなる（図９参照）。
【００３０】
なお、図９において、時刻ｔ2〜ｔ3の時間ｙ（ｔ）が所定の時間より長い場合には、スイッチ２１が、ユーザによって半押し状態に保持されたものと考えることができる。また、時刻ｔ2〜ｔ3の時間ｙ（ｔ）が所定の時間より短い場合には、スイッチ２１が、ユーザによって全押し状態にされる過程において一時的に半押し状態にされたものと考えることができる。
【００３１】
以上、スイッチ２１の構成及び動作について説明したが、スイッチ２２〜３２の構成及び動作も、スイッチ２１の構成及び動作と同様である。
ＣＰＵ１１は、これらのスイッチ２１〜３２からそれぞれ出力される電位により、スイッチ２１〜３２が初期状態、半押し状態、又は、全押し状態であることを検出することができる。
【００３２】
図１０は、ＣＰＵ１１がスイッチ２１の状態に応じた文字入力を行うための処理を示すフローチャートである。以下、図４〜図１０を参照しながら、文字入力処理について説明する。
【００３３】
ＣＰＵ１１は、押しボタン４１がユーザによって押圧され、スイッチ２１が図５に示す状態となり、電位ｘがハイレベルになると、図１０の処理を開始する。まず、ＣＰＵ１１は、電位ｙがローレベルである時間ｙ（ｔ）が所定の長さ以上であるか否かをチェックし、ｙ（ｔ）が所定の長さ以上である場合には、処理をステップＳ０２に移し、そうでなければ処理をステップＳ０４に移す（ステップＳ０１）。
【００３４】
ステップＳ０１においてｙ（ｔ）が所定の長さ以上であった場合、ＣＰＵ１１は、ユーザがスイッチ２１を半押し状態（図６参照）にしたものと判断し、所定のアルファベットが入力されたものとして処理する（ステップＳ０２）。
次に、ＣＰＵ１１は、電位ｘがローレベルとなっているか否かをチェックし、電位ｘがローレベルとなっていない場合には、処理をステップＳ０５に移し、電位ｘがローレベルとなっている場合には、スイッチ２１が初期状態（図４参照）に戻っているものと判断し、処理を終了する。
【００３５】
一方、ステップＳ０１においてｙ（ｔ）が所定の長さ以上でなかった場合、ＣＰＵ１１は、電位ｘがローレベルとなっているか否かをチェックし、電位ｘがローレベルとなっていない場合には、スイッチ２１が初期状態（図４参照）に戻っていないものと判断して処理をステップＳ０５に移し、電位ｘがローレベルとなっている場合には、スイッチ２１が初期状態（図４参照）に戻ったものと判断して処理を終了する（ステップＳ０４）。
【００３６】
ステップＳ０３において電位ｘがローレベルでなかった場合、及びステップＳ０４において電位ｘがローレベルでなかった場合、ＣＰＵ１１は、電位ｚがローレベルとなっているか否かをチェックし、ローレベルとなっている場合には、処理をステップＳ０６に移し、そうでない場合には、処理をステップＳ０１に移す（ステップＳ０５）。
【００３７】
ステップＳ０５において電位ｚがローレベルであった場合、ＣＰＵ１１は、ユーザがスイッチ２１を全押し状態（図８参照）にしたものと判断し、所定のアルファベットが入力されたものとして処理する（ステップＳ０６）。
次に、ＣＰＵ１１は、電位ｚがハイレベルとなっているか否かをチェックし、電位ｚがハイレベルとなっていない場合には、ステップＳ０７を繰り返し、電位ｚがハイレベルとなっている場合には、スイッチ２１が全押し状態（図８参照）から脱したものと判断し、処理をステップＳ０８に移す（ステップＳ０７）。
【００３８】
次に、ＣＰＵ１１は、電位ｘがローレベルとなっているか否かをチェックし、電位ｘがローレベルとなっていない場合には、処理をステップＳ０１に移し、電位ｘがローレベルとなっている場合には、スイッチ２１が初期状態（図４参照）になっているものと判断し、処理を終了する（ステップＳ０８）。
【００３９】
先に説明したように、携帯電話装置１は、ローマ字に基づいてひらがなを入力するひらがな入力モードを有している。図１０は、このひらがな入力モードにおけるスイッチ２１〜２５への母音の割り当ての一例を示す図である。
図１１は、ユーザがスイッチ２１〜２５を半押し状態にしたときに、携帯電話装置１に入力される母音を示している。図１１に示すように、ユーザがスイッチ２１を半押し状態にしたときには「ａ」が入力され、ユーザがスイッチ２２を半押し状態にしたときには「ｉ」が入力され、ユーザがスイッチ２３を半押し状態にしたときには「ｕ」が入力され、ユーザがスイッチ２４を半押し状態にしたときには「ｅ」が入力され、ユーザがスイッチ２５を半押し状態にしたときには「ｏ」が入力される。
【００４０】
図１２は、ユーザがスイッチ２１〜３０を全押し状態にしたときに、携帯電話装置１に入力される子音を示している。図１２に示すように、ユーザがスイッチ２１を全押し状態にしたときには「ｋ」が入力され、ユーザがスイッチ２２を全押し状態にしたときには「ｓ」が入力され、ユーザがスイッチ２３を全押し状態にしたときには「ｔ」が入力され、ユーザがスイッチ２４を全押し状態にしたときには「ｎ」が入力され、ユーザがスイッチ２５を全押し状態にしたときには「ｈ」が入力される。また、ユーザがスイッチ２６を全押し状態にしたときには「ｍ」が入力され、ユーザがスイッチ２７を全押し状態にしたときには「ｙ」が入力され、ユーザがスイッチ２８を全押し状態にしたときには「ｒ」が入力され、ユーザがスイッチ２９を全押し状態にしたときには「ｗ」が入力され、ユーザがスイッチ３０を全押し状態にしたときには「ｎ」が入力される。
【００４１】
以上のように構成された結果、携帯電話装置１においては、ユーザが「おはよう」という文字列を入力するために、スイッチ２５を半押し状態にし（「ｏ」の入力）、その後スイッチ２５をさらに押圧して全押し状態にし（「ｈ」の入力）、スイッチ２１を半押し状態にし（「ａ」の入力）、スイッチ２７を全押し状態にし（「ｙ」の入力）、スイッチ２５を半押し状態にし（「ｏ」の入力）、スイッチ２３を半押し状態にすればよい（「ｕ」の入力）。すなわち、携帯電話装置１においては、「おはよう」という文字列を入力するために６回の押圧で済むため、従来の携帯電話装置（１１回の押圧）よりも押圧回数を少なくすることができる。
【００４２】
また携帯電話装置１においては、ユーザが「こんにちわ」という文字列を入力するために、スイッチ２１を全押し状態にし（「ｋ」の入力）、スイッチ２５を半押し状態にし（「ｏ」の入力）、スイッチ３０を全押し状態にし（「ｎ」の入力）、スイッチ２４を全押し状態にし（「ｎ」の入力）、スイッチ２２を半押し状態にし（「ｉ」の入力）、スイッチ２３を全押し状態にし（「ｔ」の入力）、スイッチ２２を半押し状態にし（「ｉ」の入力）、スイッチ２９を全押し状態にし（「ｗ」の入力）、スイッチ２１を半押し状態にすればよい（「ａ」の入力）。すなわち、携帯電話装置１においては、「こんにちわ」という文字列を入力するために９回の押圧で済むため、従来の携帯電話装置（１３回の押圧）よりも押圧回数を少なくすることができる。
【００４３】
なお、本実施形態においては、スイッチを半押し状態にすることにより母音が入力され、スイッチを全押し状態にすることにより子音が入力されることとしているが、スイッチを半押し状態にすることにより子音が入力され、スイッチを全押し状態にすることにより母音が入力されることとしても良い。
また、本実施形態においては、押しボタンを用いたスイッチ２１〜３０を用いているが、スライドスイッチ、感圧スイッチ、感圧パネル等を用いても良い。
また、本実施形態においては、ローマ字に基づくひらがな入力処理を行うこととしているが、ローマ字に基づくカタカナ入力処理を行うこととしても良いし、更に、入力されたひらがな又はカタカナを漢字に変換することとしても良い。
【００４４】
【発明の効果】
以上述べた様に、本発明によれば、スイッチの状態に応じて日本語入力処理を行うことができる。これにより、日本語入力を容易にすることが可能となる。
【図面の簡単な説明】
【図１】本発明の一実施形態に係る携帯電話装置の構成を示す図である。
【図２】図１の入力部１０の構成を示す図である。
【図３】図１の携帯電話装置の外観を示す図である。
【図４】図２のスイッチ２１の構成を示す図である。
【図５】図２のスイッチ２１が押圧された様子を示す図である。
【図６】図２のスイッチ２１が押圧された様子を示す図である。
【図７】図２のスイッチ２１が押圧された様子を示す図である。
【図８】図２のスイッチ２１が押圧された様子を示す図である。
【図９】図４の電極８１〜８３の電位ｘ、ｙ、ｚの変化を示す図である。
【図１０】図１のＣＰＵ１１が実行する処理のフローチャートである。
【図１１】図２のスイッチ２１〜２５が半押し状態になったときに入力される母音を示す図である。
【図１２】図２のスイッチ２１〜３０が全押し状態になったときに入力される子音を示す図である。
【符号の説明】
１  携帯電話装置
２  筐体
３  アンテナ
４  受信部
５  送信部
６  ベースバンド処理部
７  音声処理部
８  スピーカ
９  マイク
１０  入力部
１１  ＣＰＵ
１２  ＬＣＤドライバ
１３  ＬＣＤパネル
２１〜３２  スイッチ
４１〜５２  押しボタン
６１、６２、７８〜８３  電極
６３  配線
６４、６６〜６９  凹部
６５、７０〜７３  ばね
７４〜７７  ストッパー
Ｒ１〜Ｒ３  抵抗
【図１】
0003952759.tif 000002
【図２】
0003952759.tif 000003
【図３】
0003952759.tif 000004
【図４】
0003952759.tif 000005
【図５】
0003952759.tif 000006
【図６】
0003952759.tif 000007
【図７】
0003952759.tif 000008
【図８】
0003952759.tif 000009
【図９】
0003952759.tif 000010
【図１０】
0003952759.tif 000011
【図１１】
0003952759.tif 000012
【図１２】
0003952759.tif 000013